(57)【特許請求の範囲】
【請求項１】
検知剤が適用される帯状対象体に、帯状検知剤を固定する方法において、この対象体側に粘着層が形成された、少なくとも一部が透明な片面粘着テープを、この対象体とこの片面粘着テープの間に、前記検知剤と前記片面粘着テープの粘着層が接し、且つ前記片面粘着テープが前記検知剤を隙間なく密閉するように、この対象体に貼付することを特徴とする、検知剤固定方法。
【請求項２】
テープ状基材に酸素検知用組成物が固定されたテープ状検知剤と、この検知剤より幅が広く少なくとも一部分が透明な片面に粘着層を有するプラスチック製片面粘着テープとを備えて成り、この片面粘着テープの幅方向中央寄りに前記検知剤が粘着されているテープ状貼付用検知剤を、脱酸素剤帯体からなる対象体に固定する方法であって、前記片面粘着テープの粘着層のうち、前記テープ状検知剤が粘着されていない部分を前記テープ状検知剤と前記片面粘着テープの粘着層が接し、且つ前記片面粘着テープが前記テープ状検知剤を隙間なく密閉するように前記対象体に貼付することによって、前記テープ状貼付用検知剤をこの対象体に固定する、検知剤固定方法。
【請求項３】
テープ状基材に酸素検知用組成物が固定されたテープ状検知剤と、この検知剤より幅が広く少なくとも一部分が透明な片面に粘着層を有するプラスチック製片面粘着テープとから成り、この片面粘着テープの幅方向中央寄りに前記検知剤が粘着されているテープ状貼付用検知剤を、脱酸素剤帯体からなる対象体に固定する方法であって、前記片面粘着テープと前記対象体との間に前記テープ状検知剤を挟むようにして、この片面粘着テープの粘着層をこのテープ状検知剤と接するようにし、且つ前記片面粘着テープが前記テープ状検知剤を隙間なく密閉するようにして、この対象体に貼付することにより、前記テープ状貼付用検知剤をこの対象体に固定する、検知剤固定方法。
【請求項４】
脱酸素剤帯体からなる対象体を送り出す手段と、テープ状の酸素検知剤を、ガイドロールを経てこの対象体に向けて送り出す手段と、この対象体側に粘着層が形成された、少なくとも一部が透明な片面粘着テープを、ガイドロールを経てこの対象体に向けて送り出す手段と、この対象体とこの片面粘着テープの間に、前記検知剤と前記片面粘着テープの粘着層が接し、且つ前記片面粘着テープが前記検知剤を隙間なく密閉するように、前記片面粘着テープの粘着層をこの対象体に貼付する手段と、を備える、検知剤固定装置。
【請求項５】
テープ状基材に酸素検知用組成物が固定されたテープ状検知剤と、少なくとも一部分が透明な片面に粘着層を有するプラスチック製片面粘着テープとから成り、この片面粘着テープに前記検知剤が粘着されているテープ状貼付用検知剤を、この貼付用検知剤が適用される脱酸素剤帯体からなる対象体に固定するための装置であって、前記対象体を連続的に送り出す第１手段と、前記テープ状検知剤を前記対象体に向けて連続的にガイドロールを経て送り出す第２手段と、さらに、前記プラスチック製片面粘着テープを前記対象体に向けて連続的にガイドロールを経て送り出す第３手段と、前記片面粘着テープと前記対象体との間に前記テープ状検知剤を挟むようにして、この片面粘着テープの粘着層をこのテープ状検知剤と接するようにし、且つ前記片面粘着テープが前記テープ状検知剤を隙間なく密閉するようにしてこの対象体に貼付する第４手段と、を備える検知剤固定装置。
【請求項６】
請求項５記載の装置において、前記プラスチック製片面粘着テープは前記テープ状検知剤より幅が広く、且つ前記テープ状検知剤と前記片面粘着テープの粘着層が接するようにすると共に、前記片面粘着テープが前記テープ状検知剤を隙間なく密閉するようにし、前記第４手段は、この片面粘着テープの幅方向中央寄りに前記テープ状貼付用検知剤を位置させるようにして、この片面粘着テープの粘着層が形成された面のうち前記テープ状検知剤が粘着されていない部分を前記片面粘着テープの幅方向の両側に設け、この部分を前記対象体に貼付するように構成された検知剤固定装置。
【請求項７】
前記検知剤が、非透湿性のプラスチックフィルム又は合成紙の片面に複数個の酸素検知組成物が一定間隔又は連続的に塗布又は印刷されたものである請求項１乃至３のいずれか１項記載の方法。
【請求項８】
前記対象体が帯状の脱酸素剤連包体であり、前記検知剤と前記片面粘着テープとを前記テープ状検知剤と前記片面粘着テープの粘着層が接し、且つ前記片面粘着テープが前記検知剤を隙間なく密閉するように、この連包体に連続的に貼り付けた後、貼り付けたままの状態で脱酸素剤連包体が１個づつに分かれるよう切り離すことを特徴とする、請求項１乃至３のいずれか１項記載の方法。
【請求項９】
前記検知剤が、非透湿性のプラスチックフィルム又は合成紙の片面に複数個の酸素検知組成物が一定間隔で塗布又は印刷されたものである請求項４乃至６のいずれか１項記載の装置。
【請求項１０】
前記対象体が帯状の脱酸素剤連包体であり、前記検知剤と前記片面粘着テープとを前記テープ状検知剤と前記片面粘着テープの粘着層が接し、且つ前記片面粘着テープが前記検知剤を隙間なく密閉するように、この連包体に連続的に貼り付けた後、貼り付けたままの状態で脱酸素剤連包体が１個づつに分かれるよう切り離すことを特徴とする、請求項４乃至６のいずれか１項記載の装置。
【発明の詳細な説明】
【０００１】
【発明の属する技術分野】
本発明は、酸素検知等のための検知剤を対象体に固定する方法と、この方法を実施するための装置に関する。すなわち、本発明は、検知剤が対象体に固定されたものを製造するための方法とその装置に関する。
【０００２】
【従来の技術】
ある閉ざされた空間内における酸素の有無や多少などの環境を、色調の変化で表示する酸素検知剤（「酸素インジケ−ター」とも称される。）が、従来から知られている。
【０００３】
この酸素検知剤は、例えば、錠剤状に成形されたもの、紙、糸、脱脂綿、樹脂成形体等の多孔質物に酸素検知組成物溶液を含浸したもの、紙またはフィルムの表面に酸素検知組成物を塗布または印刷したものとして提案されている。  この酸素検知剤は、そのままの形態、あるいはプラスチック積層フィルムに包装された状態で、主に脱酸素剤による食品等の品質保持の分野で広く利用されている。
【０００４】
また、これら酸素検知剤を、脱酸素剤包装体、又は、脱酸素剤を適用した商品の包装容器等である対象体に固定することも行われている。この固定に当たり、この酸知剤を接着剤や両面テープで固定する方法が提案され、実用化されている。最近では、脱酸素剤包装袋へ貼付されることを前提とした酸素検知剤が提案されている。例えば、実開平４−３９８０号には、シート状の酸素検知剤を接着剤、または両面テープで脱酸素剤包材に貼付けて一体型とする方法が提案されている。
【０００５】
【発明が解決しようとする課題】
しかしながら、この方法では食品等の被保存物に含まれる水分や油分が酸素検知剤まで浸透し、酸素検知反応に伴う変色機能が損なわれるおそれがあった。そこで、特開平８−２８７４０号には脱酸素剤包装袋／両面テープ／検知剤シート／透明フィルムをこの順に重ね合わせた、脱酸素剤一体型酸素検知剤が提案されている。
【０００６】
しかしながら、この方法では両面テープを使用するため、▲１▼離型紙が廃棄物として発生する、▲２▼切断性が悪い、▲３▼両面接着テープは取扱性、操作性が悪い等問題があった。
【０００７】
そこで、本願出願人は、従来の貼付用検知剤が有する上記のような耐水耐油性や厚みの問題あるいはコストの問題を解決して、実用範囲が広くかつ変色性能に優れた新規な貼付用検知剤を提案した（特願平９−２８５６６７号）。
【０００８】
本発明は、前記課題を解決しながら、係る新規な貼付用検知剤を、脱酸素包装体、包装袋、小袋包装体、包装箱、包装ケース、被包装物等の対象体に固定する方法、及びそのための装置を提供することを目的とするものである。
【０００９】
【課題を解決するための手段】
この目的を達成するために、本発明は請求項記載のとおりの方法、及び装置であることを特徴とする。
【００１０】
本発明の方法、及び装置によって得られる貼付用検知剤は、酸素検知剤の他、炭酸ガスなど他のガス成分、その他水分等を検知するものにも適用可能である。本発明によって得られる貼付用酸素検知剤の主要な形態は、次のとおりである。
【００１１】
テープ状基材に酸素検知剤組成物が印刷、や含浸等の手段によって固定されたテープ状酸素検知剤（ｌ）と、（ｌ）より幅が広く少なくとも一部分が透明な片面全面に粘着層を有するプラスチック製片面粘着テープ（２）とから成り、（２）の幅方向ほぼ中央に（ｌ）が粘着されているテープ状貼付用酸素検知剤。
【００１２】
（１）は、テープ状基材の片面に酸素検知組成物が塗布又は印刷されたものからなり、且つ（２）の幅方向ほぼ中央に（１）が酸素検知組成物面と粘着層が接するように粘着されるようにすることが好ましい。
【００１３】
（１）が、非透湿性のプラスチックフィルム、又は合成紙の片面に複数個の酸素検知組成物が一定間隔で塗布又は印刷されるように形成されることが好ましい。（２）の非粘着面に離型剤を塗布することが好ましい。
上記のテープ状貼付用酸素検知剤を適宜の長さに切断することにより、これをそのまま食品保存容器に適用することができる。
【００１４】
本発明によれば、上記の貼付用酸素検知剤が貼付された脱酸素剤包装体を提供することができる。
【００１５】
本発明において、テープ状とは、幅に対して長さが長く、厚みが幅より薄い形態を言う。本発明のテープ状貼付用酸素検知剤では、幅は３ｍｍ以上３０ｍｍ以下が好ましく、長さは貼付時に適宣の寸法に切断して使用されるので特に規定されないが、テープ状貼付用酸素検知剤の製造コストと使用時のコストを最小に保持するためには少なくとも数十ｍｍ以上を連続加工できることが好ましい。
【００１６】
本発明によって提供されるテープ状貼付用酸素検知剤は、テープ状酸素検知剤とプラスチック製の片面粘着テ−プ（以後、「片面粘着テープ」と称する場合がある。）の２部品のみから成り、極めてシンプルな構成であるために、生産性が高く低コスト化が可能であり、しかも応用時の操作性も高いため、酸素検知剤としてのトータルコストを低く設定できる。
【００１７】
更には、貼付のための粘着面を残したままテープ状酸素検知剤の酸素検知組成物面を片面粘着テープで粘着、密封するとの合理的な層構成を採用しているために、薄く柔軟性に富む上に酸素検知剤としての変色性能や耐水耐油性に優れていて、高湿度の過酷な使用条件下においても性能劣化を来すことなく本来の酸素検知性能が発揮される。
【００１８】
また柔軟性に優れることから、脱酸素剤包装袋や食品包装容器等の凹凸のある面や剛性の小さい面にも良好な貼り付け性が発揮される。また使用時に離型紙などの廃棄物が一切発生せず、使い勝手が良い。
【００１９】
尚、使用時に前記酸素検知剤は片面粘着テープを介して雰囲気中の酸素濃度が検知されるが、驚くべきことに酸素検知組成物が、テープを介することなく雰囲気に直接接している従来の酸素検知剤よりも応答速度が速い。片面粘着テープは、酸素検知性能劣化の要因となる過度の水分吸収を防止し、雰囲気ガスを適度に透過する機能を果たしている。また酸素検知剤を隙間なく密閉するので、検知剤成分の外部への移行を防止する。
【００２０】
【発明の実施の形態】
先ず、本発明によって提供される、前記貼付用酸素検知剤について説明する。図ｌは、このものの幅方向の断面図であり、（１）がテ−プ状酸素検知剤、（２）が片面粘着テープである。片面粘着テ−プは（３）のプラスチックフィルムの片面に（４）の粘着剤が全面に塗布または積層されているものである。
【００２１】
この片面粘着テープの幅方向ほぼ中央に、片面粘着テープの幅Ｂより小さい幅Ａを有するテープ状酸素検知剤が（４）の粘着剤によって固定される。幅Ｂより幅Ａを小さくすることにより、テープ状酸素検知剤の両側に粘着剤露出部Ｃ及びＣ’を残し、この部分を被着体（対象体）に貼付する。ＣとＣ’は被着体への貼付能力が失われない限り、必すしも同じ寸法でなくとも良い。
【００２２】
プラスチック製の片面粘着テープは、プラスチックフィルムの片面に粘着剤が全面に塗布、または積層されているものである。プラスチックフィルムの材質としては、ポリエチレン、ポリプロピレン、ポリエステル、ポリアミド、ポリカーボネート、アセテート、セロハン等があげられるが、透明性、柔軟性、強度等の面から、延伸ポリプロピレン又はポリエステルが好ましい。プラステックフィルムの厚みは実用的な強度と柔軟性があれば特に問わないが、５〜１００ミクロが好ましい。
【００２３】
プラスチックフィルムは、無色透明でも、酸素検知剤の色変化を見やすくするために適宜着色した透明のものでも良い。更に、酸素検知剤の色変化が判るように一部分を透明のまま残し、他の部分に隠蔽の文字や絵文字等の情報表示をしたり、酸素検知剤の色調変化を判別しやすくする目的で適宜の色調を持った印刷を施しても良い。
【００２４】
粘着剤としては合成ゴム系、天然ゴム系、アクリル系、シリコン系等既存のものを用いることができる。この際、粘着剤の種類と厚みは、酸素検知剤に用いる色素が染着したり色素の変色を阻害したりしないこと、透明性に優れること、安全衛生性に優れること、被着体に対する適度な接着性が得られること等を考慮して適宜選択すればよい。
【００２５】
プラスチックフィルムヘの粘着加工は、粘着剤をエマルジョンとして、又は溶剤で希釈して塗布後乾燥する、粘着剤を押し出し積層する、フィルム化した粘着剤を離型紙から転写する等、公知の各方法が用いられる。このようにして得られた片面粘着テープの幅はテープ状酸素検知剤の幅より大きく、図１に示すＣ及びＣ’の幅を確保できれば良いが、取り扱い性やコストの点から３〜５０ｍｍが好ましく、５〜３０ｍｍが特に好ましい。
【００２６】
また、図１のＣ及びＣ’の幅は各々１〜５ｍｍが好ましい。また紙管等に巻かれた片面粘着テ−プを巻き出す際に少ない抵抗で円滑に巻き出しが可能なように、非粘着面側にシリコン系、アルキッド樹脂系等の離型剤を塗布することが好ましい。
【００２７】
テープ状酸素検知剤とは、テープ状の基材に酸素検知組成物を塗布、印刷又は含浸などして固定したものであり、酸素検知組成物が周囲雰囲気の酸素濃度に応じて変色することにより酸素の有無を表示する。
【００２８】
酸素検知組成物としては、アントラキノン系、インジゴ系、ヂアジン系、硫化染料等の還元剤によって色変化を示す染料、アルカリ金属、又はアルカリ土類金属の水酸化物や塩等のアルカリ性物質、及び還元糖類等の還元剤を必須成分とする組成物が好ましく用いられる。
【００２９】
これらの必須成分に、必要に応じて、溶媒、還元剤によって変色しない染料又は顔料、水溶性高分子、バインダー樹脂等を組み合わせて添加し、テープ状基材に塗布、印刷又は含浸する。テープ状基材としては、紙、布、不織布、合成紙、フィルム等が用いられる。高湿度の過酷な条件下でも高い酸素検知性能を発揮するためにテープ状酸素検知剤としては、非透湿性の合成紙又はフィルムの片面に実質的に水分を含まない酸素検知組成吻を塗布又は印刷したものが好ましく用いられる。
【００３０】
テ−プ状酸素検知剤の幅は５ｍｍ以上２０ｍｍ以下が好ましく。狭すぎると見にくくなり、広すぎるとコスト高となって取り扱いにも不便になる。また厚みは柔軟性及び美観上、１ｍｍ以下が好ましく、０．００５ｍｍ以上０．５ｍｍ以下が特に好ましい。
【００３１】
テープ状酸素検知剤を片面粘着テープと組み合わせた際に、テ−プ長さ方向に色変化部を連続化しても良いが、色変化の判別をしやすくするためにテープ長さ方向で色変化部と変化しない部分とを交互に存在させることが好ましい。
【００３２】
図２乃至図４にこの好ましいパターンが例示されている。図２は、全面が透明な片面粘着テープと酸素検知組成物をドット状に断続的に配置したテープ状酸素検知剤とを組み合わせたものである。図３は、中央部を含む中央部寄りに長さ方向に連続した透明部を有する片面粘着テ−プと酸素検知組成物を縞状に配置したテープ状酸素検知剤とを組み合わせたものである。
【００３３】
図４は、中央部寄りに長さ方向に間欠的に透明部を有する片面粘着テープと全面に酸素検知組成物を配置したテープ状酸素検知剤とを組み合わせたものである。尚、これ等の例示に制限されるものではない。本発明のテープ状貼付用酸素検知剤は、片面粘着テープの幅方向ほぼ中央にテープ状酸素検知剤が酸素検知組成物面と粘着層が接するように粘着されているものであり、例えば数十ｍ以上のテープが紙管に巻き付けられた形状をしている。
【００３４】
このテープ状貼付用酸素検知剤を適宜の長さに切断して個々の貼付用酸素検知剤とし、食品の脱酸素包装等の用途で包材や脱酸素剤に貼り付けて使用する。
【００３５】
或いは、テープ状酸素検知剤と片面粘着テープのそれぞれを例えば数十ｍ以上の長尺で巻き取っておき、両者を同時に巻き出して重ね合わせ、直後に被着物に貼り付けて使用することもできる。特に、予め貼付用酸素検知剤が貼付された脱酸素剤包装体は、食品を脱酸素包装する際に便利に使用される。この貼付用酸素検知剤が貼付された脱酸素剤包装体を製造する方法としては、テープ状貼付用酸素検知剤と脱酸素剤連包体とを連続的に貼り付けた後、貼り付けたままの状態で脱酸素剤連包体が１個づつに分かれるよう切り離す方法が、コストが低く合理的である。
【００３６】
なお、本発明によって提供される貼付用酸素検知剤が前記目的を達成すること
【００３７】
は、既述の特願平９−２８５６６７号明細書における【実施例】の欄に記載されたとおりである。テープ状検知剤、片面粘着テープを構成するための具体的な構成は同欄に記載されている。
【００３８】
次に、この貼付用酸素検知剤を得るための方法、及び装置を具体的に説明する。この装置は、実用新案登録第２５６４２８２号公報に記載された、検知剤付き小袋の製造装置を改良したものである。
【００３９】
図５はこの検知剤付き小袋製造装置の一実施例を示す概念図であって、この装置は、帯状に複数個連結されてなる小袋の連包体としての脱酸素剤帯体を順次自動的に繰り出す連包体自動供給設備Ａと、酸素検知組成物がテープ状基材に固定されたテープ状酸素検知剤を順次、被着物（対象体）としての脱酸素剤帯体に向けて連続的に送り出す酸素検知剤自動供給設備Ｂと、既述のプラスチック製片面粘着テープを脱酸素剤に向けて連続的に送り出す粘着テープ自動供給設備Ｃと、脱酸素剤帯体に前記テープ状貼付用酸素検知剤を貼付固定し、形成された帯状の検知剤付き小袋連包体を１袋ごとの小袋に切断して１個単位の検知剤付き小袋に形成する設備Ｄとから構成される。
【００４０】
この設備Ｄから移送されてきた検知剤付き小袋を包装機等のコンベアラインにシユートを介して投入し、自動製袋されながら食品を充填した後、シールされて包装袋となる。
【００４１】
前記自動供給設備Ａは、帯状の脱酸素剤７１が所定量ドラム（筒状）に巻きつけられたものが掛けられている脱酸素剤帯状アンリール７２とガイドローラ７３，７４及び５から成り、このアンリール７２から脱酸素剤７１がガイドローラ７３，７４及び５を介して順次自動的に、次工程にあるテープ状酸素検知剤を自動供給する設備Ｂ、及び、片面粘着テープをこの脱酸素剤帯体に自動供給する設備Ｃへ逐次繰り出される。
【００４２】
この設備Ｂは、酸素検知紙３５をガイドロール３１乃至３４を介して脱酸素剤帯体１に繰り出す酸素検知紙テープアンリール３０を備えている。また、前記設備Ｃは、プラスチック製片面粘着テープ４４を、ガイドロール４１，４２を介して前記脱酸素剤帯体１に向けて繰り出す粘着テープロール４３と、このロール４３が掛けられたテープアンリール４０とを備えている。
【００４３】
前記設備Ｄは、前記酸素検知紙３５を間に挟んだ状態で片面粘着テープ４４を脱酸素剤帯体７１に接着させる圧着手段と、検知剤付き脱酸素剤帯体を検知紙が付いた脱酸素小袋の一つ一つに切断するためのカッター２１を含むカッター機構を備えている。このカッター機構の構成及び動作は前記実用新案登録第２５６４２８２号公報に記載のものを適用することができる。
【００４４】
前記脱酸素剤帯体は、複数の脱酸素剤小袋がシール部を介して長さ方向に連なった構造を持っている。この構造も同公報の図２及び図３並びに関連説明において記載されたものと同一である。
【００４５】
圧着手段は、酸素検知紙３５と片面粘着テープ４４とから図１に示されたテープ状貼付用酸素検知剤を形成しつつこれを脱酸素剤帯体１に貼付、接着、或いは添着する。図１において説明したように、片面接着テープ（３）の幅方向の中心に酸素検知テープ（１）を接着し、片面粘着テープ（３）の長さ方向の両側に酸素検知テープ（４）が粘着されていない接着剤（４）の部分ＣとＣ'を形成する。このような構成になるように、酸素検知紙３５及び片面粘着テープ４４が前記供給設備を介して圧着手段に送られる。
【００４６】
本実施形態では、脱酸素剤帯体１の送り方向に沿って二組の圧着手段が存在する。符号１０，１１及び符号１２，１３はこの圧着手段を形成する。符号１０，１２は圧着ゴムローラ、１１，１３は圧着ローラをそれぞれ示す。これら圧着ローラ間に帯体１、酸素検知紙３５、及びテープ４４が送り出されて、互いに圧着されることにより、図１において説明したように、テープ状貼付用酸素検知剤が貼付された脱酸素剤帯体が形成され、送りローラ２０によってこの帯体がカッター機構２１に誘導される。
【００４７】
図６は、前記製造装置の一部を拡大して示したものである。図６は、脱酸素剤の小袋がシール部を介して長さ方向に連接された脱酸素剤帯体７１に、酸素検知紙３５を介して片面粘着テープ４４が粘着された状態を示している。
【００４８】
図７は、テープ状貼付用酸素検知剤が貼付された脱酸素剤帯体を正面から観た正面図である。脱酸素剤帯体７１の長さ方向の中心に酸素検知剤紙３５の幅方向の中心がほぼ来るようにして、片面粘着テープ４４の幅方向のほぼ中心をこの帯体７１の幅方向の中心に合わせて粘着する。前記カッター機構２１は、この帯体のシール部１００をカッターで切断する。符号３５ａは、テープ基材に固定された酸素検知剤組成物のパターンである。
【００４９】
この片面粘着テープは通気性を有するものでも、それが無いものでも特に制限されない。要は、酸素検知組成物が発揮する酸素検知反応に伴う変色に影響を与えないように、油や水等の溶液が酸素検知組成物に至ることを、粘着テープが防止できることが、重要である。酸素等の被検知成分は、脱酸素剤帯体のうちこの粘着テープが存在しない面から酸素検知紙に到達できる。
【００５０】
本発明のテープ状貼付用酸素検知剤によれば、構成がシンプルなので低コストで製造でき、かつ一般の片面粘着テープと同様の薄いテープ状とすることができるため単純な器具で任意の長さに切断して使用できるほか、機械的に自動製造、切断、貼付を行うこともでき、極めて使い勝手に優れる効果が達成される。
【００５１】
また、酸素濃度の変化に極めて速やかに対応して変色し、目視により容易に酸素濃度を判別することができる。更に水分や油分の多い環境下でも色調の異常を示すことがなく、安心して脱酸素剤包装食品等の品質管理に利用でき、脱酸素剤包装体に貼付した状態で在庫しても色調、変色速度の劣化がなく、脱酸素剤貼付用の酸素検知剤としても優れた性能を有する。また脱酸素剤包装の用途以外にも、酸素濃度を色調で表示でき、変色速度に優れ、色調の安定性にも優れることを利用して、食品を始めとする各種物品の包装、各種装置の安全管理等に市販の粘着テープあるいはラベル、ワッペンと同様の手軽さで使用することが可能である。
【００５２】
【発明の効果】
本発明によれば、新規な貼付用検知剤を、脱酸素包装体、包装袋、包装箱、包装ケース、被包装物等の対象体に固定する方法、及びそのための装置を提供することができる。
【図面の簡単な説明】
【図ｌ】  本発明のテ−プ状貼付用酸素検知剤の一例を示す、その幅方向の断面図である。
【図２】  本発明に係わるテープ状貼付用酸素検知剤の表示形態の一例を示す見取り図である。
【図３】  本発明に係わるテ−プ状貼付用酸素検知剤の表示形態の他の例を示す見取り図である。
【図４】  本発明に係わるテープ状貼付用酸素検知剤の表示形態のさらに他の例を示す見取り図である。
【図５】  本発明に係わる固定方法を実施するための製造装置の一例を示す構成図である。
【図６】  図５に示された構成図の一部拡大図である。
【図７】  テープ状貼付用酸素検知剤が固定された脱酸素剤帯体の正面図である。
【符号の説明】
−
１  テープ状酸素検知剤
２  片面粘着テープ
３  プラスチックフィルム
４  粘着剤
３５  酸素検知紙
３５ａ  酸素検知組成物パターン
４４  片面粘着テープ
７１  脱酸素剤帯体
【図１】
0004178488.tif 000002
【図２】
0004178488.tif 000003
【図３】
0004178488.tif 000004
【図４】
0004178488.tif 000005
【図５】
0004178488.tif 000006
【図６】
0004178488.tif 000007
【図７】
0004178488.tif 000008